(57)【特許請求の範囲】
【請求項１】
取付部を有し、該取付部に水栓部品の挿通部を挿通した状態で、水栓部品に設けられた当接部と前記挿通部に装着された固定部材とで挟持される水栓部品用ブラケットであって、
前記取付部に連設され、前記挿通部を挿通した状態で該挿通部の移動を許容する移動許容部を備えるとともに、
前記移動許容部は、端面で開放されていることを特徴とする水栓部品用ブラケット。
【請求項２】
前記移動許容部は、前記水栓部品を挿通可能な形状に形成されていることを特徴とする請求項１に記載の水栓部品用ブラケット。
【請求項３】
前記水栓部品は、他の水栓部品の接続部と接続される接続部を備えるものであり、前記移動許容部は、前記接続部の接続方向に沿って設けられていることを特徴とする請求項１又は請求項２の何れかに記載の水栓部品用ブラケット。
【発明の詳細な説明】
【０００１】
【発明の属する技術分野】
本各発明は、取付部を有し、該取付部に水栓部品の挿通部を挿通した状態で、水栓部品に設けられた当接部と前記挿通部に装着された固定部材とで挟持される水栓部品用ブラケットに関する。
【０００２】
【従来の技術】
例えば、水栓をカウンター等の設置部に設置する場合には、水栓本体や配管等の水栓部品を設置部に支持するため、各種の水栓部品の位置決めを行うため、或いは、設置部の補強を行うため等を目的に、水栓部品用ブラケットを用いることがある。例えば、図６に、所望の設置部に水栓部品８０を支持する水栓部品用ブラケット５０を示す。この水栓部品用ブラケット５０では、その取付部６０に水栓部品８０の挿通部４６が裏面から挿通され、取付部６０よりも大径とされた鍔状の当接部４７と、挿通部４６の先端側より螺着された固定ナット７とで挟持されている。
【０００３】
【発明が解決しようとする課題】
しかし、この水栓部品用ブラケット５０では、水栓部品８０が裏面側から着脱されるため、水栓部品用ブラケット５０の裏面側における他の水栓部品の配置状態や、壁面等の設置部の状態によっては、水栓部品８０を着脱することができない場合がある。例えば、図示二点鎖線に示すように、取付部６０の裏側に配管等の他の水栓部品８１が設置されている場合には、この他の水栓部品８１が干渉物となり、水栓部品用ブラケット５０に水栓部品８０を着脱することができない。また、水栓部品用ブラケット５０と、この水栓部品用ブラケット５０が取り付けられた壁面等との間に、水栓部品８０の着脱のための十分な空間が確保できない場合も同様である。
【０００４】
本各発明はこのような実状に鑑みてなされたものであり、その目的とするところは、裏面側の他の水栓部品等の配置状態に拘わらず、水栓部品を着脱可能な水栓部品用ブラケットを提供することである。
【０００５】
【課題を解決するための手段】
先ず、請求項１の発明は、「取付部を有し、該取付部に水栓部品の挿通部を挿通した状態で、水栓部品に設けられた当接部と前記挿通部に装着された固定部材とで挟持される水栓部品用ブラケットであって、
前記取付部に連設され、前記挿通部を挿通した状態で該挿通部の移動を許容する移動許容部を備えるとともに、
前記移動許容部は、端面で開放されていることを特徴とする水栓部品用ブラケット」である。
本明細書において参考的に開示する第１の参考発明（以下、参考発明１という。）は、「取付部を有し、該取付部に水栓部品の挿通部を挿通した状態で、水栓部品に設けられた当接部と前記挿通部に装着された固定部材とで挟持される水栓部品用ブラケットであって、前記取付部に連設され、前記挿通部を挿通した状態で該挿通部の移動を許容する移動許容部を備えたことを特徴とする水栓部品用ブラケット」である。
【０００６】
請求項１の発明及び参考発明１では、取付部に連設された移動許容部を備えるため、水栓部品の着脱に際しての経路を、干渉物との干渉を回避した経路とすることができ、干渉物の配置状態に拘わらず、水栓部品を着脱することができる。例えば、取付部の裏面側に干渉物が存在し、取付部に対して裏面から水栓部品を挿入することができない場合には、干渉物が障害とならない位置において移動許容部に水栓部品を挿通し、この挿通状態のまま水栓部品を取付部まで移動させればよい。
【０００７】
ここで、請求項１の発明及び参考発明１において「水栓部品」としては、例えば、「弁装置を内蔵する水栓本体」、「吐水管」、「吐水ヘッド等の吐水具」、「水栓本体と吐水口との間等の配置される接続具（中継ぎ部材等）」、「各種配管」、「水栓本体と水道配管の端末部との間に介在されて水栓本体を支持する接続具（ソケット等）」、「止水栓、ストレーナ等のメンテナンス用の機器」等を例示できる。
【０００８】
次に、本明細書において参考的に開示する第２の参考発明（以下、参考発明２という。）は、「前記移動許容部は、端面で開放されていることを特徴とする参考発明１に係る水栓部品用ブラケット」である。
【０００９】
請求項１の発明及び参考発明２では、移動許容部を端面にて開放することにより、水栓部品用ブラケットの端面側から水栓部品を着脱することができ、水栓部品の着脱作業を効率的に行うことができる。
【００１０】
次に、請求項２の発明は、「前記移動許容部は、前記水栓部品を挿通可能な形状に形成されていることを特徴とする請求項１に記載の水栓部品用ブラケット」である。
本明細書において参考的に開示する第３の参考発明（以下、参考発明３という。）は、「前記移動許容部は、前記水栓部品を挿通可能な形状に形成されていることを特徴とする参考発明１及び参考発明２のうちの何れかの発明に係る水栓部品用ブラケット」である。
【００１１】
請求項２の発明及び参考発明３では、移動許容部を、水栓部品を挿通可能な形状に形成することにより、水栓部品用ブラケットの表裏の何れの側からも水栓部品を着脱することができ、水栓部品の着脱作業を効率的に行うことができる。尚、請求項１の発明に従って、「移動許容部」を水栓部品用ブラケットの端面で開放される状態に設ければ、水栓部品の挿入をより多様な方向から行うことができる。
【００１２】
最後に、請求項３の発明は、「前記水栓部品は、他の水栓部品の接続部と接続される接続部を備えるものであり、前記移動許容部は、前記接続部の接続方向に沿って設けられていることを特徴とする請求項１又は請求項２の何れかに記載の水栓部品用ブラケット」である。
本明細書において参考的に開示する第４の参考発明（以下、参考発明４という。）は、「前記水栓部品は、他の水栓部品の接続部と接続される接続部を備えるものであり、前記移動許容部は、前記接続部の接続方向に沿って設けられていることを特徴とする参考発明１から参考発明３の何れかの発明に係る水栓部品用ブラケット」である。
【００１３】
水栓部品用ブラケットに水栓部品を装着する際に、当該水栓部品を他の水栓部品に接続することが必要な場合がある。この際、水栓部品用ブラケットに対する挿入方向と、他の水栓部品に対する接続方向とが一致しない場合には、当該水栓部品と他の水栓部品とを直に接続することができず、別途の配管を用いなければならない。一方、請求項３の発明及び参考発明４では、このような場合でも、水栓部品が、水栓部品用ブラケットに挿通された後に、移動許容部によって他の水栓部品との接続方向に沿って移動されるため、この移動に伴って他の水栓部品との接続を行うことができる。
【００１４】
【発明の実施の形態】
図１に、水栓部品用ブラケット５０の第１例を示す。この水栓部品用ブラケット５０は、参考発明１、参考発明３及び参考発明４の各発明の一具体例を示すものであり、例えば、浴室の洗い場のカウンター１等に埋設される埋込水栓１０に対して良好に適用される。
【００１５】
先ず、埋込水栓１０の概要を説明する。この埋込水栓１０は、混合弁装置（図示省略）を内蔵する温調本体部２０と、切換弁装置（図示省略）を内蔵する切換本体部３０と、温度調節用のハンドル１１と、流路切換用のハンドル１２と、吐水管１３と、シャワーヘッド（図示省略）と、を備えている。
【００１６】
温調本体部２０は、周面に雄ネジが刻設された固定部２１を備え、この固定部２１の基端側には、鍔状の当接部２２が突出されている。また、温調本体部２０は、給水接続部２３と、給湯接続部２４と、排出接続部２５とを備えている。そして、給水接続部２３には給水管２６が、給湯接続部２４には給湯管２７が、排出接続部２５には連絡配管２８が、夫々、接続されている。この温調本体部２０では、給水接続部２３を通じて導入される水と、給湯接続部２４を通じて導入される湯と、を混合弁装置によって所望の温度の湯水に混合し、この湯水を排出接続部２５を通じて連絡配管２８に排出する。
【００１７】
切換本体部３０は、周面に雄ネジが刻設された固定部３１を備え、この固定部３１の基端側には、段差面状の当接部３２が設けられている。また、切換本体部３０は、吐水管接続部３３と、シャワー接続部３４と、導入接続部３５とを備えている。そして、吐水管接続部３３には、突端に鍔部３８を有する雌型の接続部３７が螺着されている。この接続部３７は、埋込水栓１０の中央方向を指向しており、本各発明でいう「水栓部品」の一具体例を示す中継ぎ部材４０を介して、吐水管１３に接続されている。尚、この中継ぎ部材４０の詳細については後述する。
【００１８】
また、シャワー接続部３４は、シャワー配管３６を介してシャワーヘッドに連絡され、導入接続部３５には、温調本体部２０からの連絡配管２８が接続されている。そして、この切換本体部３０では、切換弁装置によって、導入接続部２５を通じて流入した湯水の吐水方向を、吐水管１３側又はシャワーヘッド側の何れかに切り換えたり、吐水量の調節及び吐止水の制御が行われる。
【００１９】
次に、図１〜３を用いて、中継ぎ部材４０及び水栓部品用ブラケット５０の詳細と、埋込水栓１０の設置方法等について説明する。
【００２０】
中継ぎ部材４０は、第１の管４１と、第２の管４３とを屈曲状に連結して構成されている。そして、第１の管４１の端部には、鍔部４４を備えた雄型の接続部４５が設けられている。また、第２の管４３の端部には、水栓部品用ブラケット５０の取付部６０に挿通される挿通部４６が設けられている。この挿通部４６の周面には、雄ネジ部４９が刻設されており、挿通部４６の基端側の周面からは、当接部４７が突出されており、さらに、挿通部４６の上下面には、平行な２面部４８が設けられている。尚、第１例では、「当接部４７」として鍔状のものを例示するが、この当接部４７の態様はこれに限定されない。例えば、前述の切換本体部３０の当接部３２のような段差面状の当接部４７とすることもできる。
【００２１】
水栓部品用ブラケット５０は、図１及び２に示すように、平板状に構成されたブラケット本体５１と、ブラケット本体５１の両側端より後方に突出する取付脚５２、５２とを備えている。この取付脚５２、５２には、突端に取付代５９、５９が屈曲状に設けられており、また、配管の引き回し処理等を行うための切り欠き６２が設けられている。この水栓部品用ブラケット５０は、図１に示すように、カウンター１の前面パネル２の背後に位置する奧壁面３に固定されるものである。そして、この固定は、例えば、両取付脚５２、５２の取付代５９、５９を、奧壁面３にビス止め等することによって行われる。
【００２２】
ブラケット本体５１は、温調本体部２０が取り付けられる貫通孔５３と、切換本体部３０が取り付けられる貫通孔５４とを備えている。そして、図１に示すように、温調本体部２０は、その固定部２１が貫通孔５３に挿通されて、スペーサ等を介してブラケット本体５１裏面に当接された当接部２２と、固定部２１の先端側より螺着された固定ナット４とでブラケット本体５１を挟持することによって、水栓部品用ブラケット５０に固定されている。また、切換本体部３０も同様に、その固定部３１が貫通孔５４に挿通されており、スペーサ等を介してブラケット本体５１裏面に当接された当接部３２と、固定部３１の先端側より螺着された固定ナット４とでブラケット本体５１を挟持することによって、水栓部品用ブラケット５０に固定されている。
【００２３】
ところで、ブラケット本体５１には、上記両貫通孔５３，５４の間に、だるま孔状の貫通孔が設けられている。この貫通孔は、中継ぎ部材４０を通過可能なサイズの円形孔部５５と、挿通部４６を挿通可能で、中継ぎ部材４０全体を通過不能なサイズの長円形孔部５６と、を連続状に組み合わせて構成されている。そして、長円形孔部５６の奧端側の部分によって、中継ぎ部材４０が取り付けられる取付部６０が構成されている。また、長円形孔部５６の入口側の部分５８と円形孔部５５とによって、移動許容部６１が構成されている。ここで、本例では、取付部６０の形状として、裏面側からは中継ぎ部材４０の挿通部４６を挿入させることはできないが、挿通部４６に設けられた２面部４８によって、円形孔部５５からは挿入可能な形状を採用している。尚、取付部６０の形状は、これに限らず、裏面側からも中継ぎ部材４０の挿通部４６を挿通可能な形状としてもよく、取付部６０に水栓部品である中継ぎ部材４０を取り付けた状態で、取付部６０に挿通部４６が挿通された状態となる形状であればよい。
【００２４】
第１例では、温調本体部２０及び切換本体部３０を水栓部品用ブラケット５０に固定した後に、中継ぎ部材４０が水栓部品用ブラケット５０に固定される。次に、中継ぎ部材４０の水栓部品用ブラケット５０への取り付けを説明する。
【００２５】
まず、中継ぎ部材４０を図２の矢印Ａの方向に回転させ、第１の管４１を、移動許容部６１の円形孔部５５を用いて、ブラケット本体５１の背後に到達させる。次いで、図２の矢印Ｂの方向に反転させながら、当接部４７を、円形孔部５５を用いてブラケット本体５１の背後に到達させる。次いで、中継ぎ部材４０を、第２の管４３の軸心回りに適宜、回動させると共に取付部６０方向に移動すると、図３に示すように、挿通部４６の２面部４８が長円形孔部５６の上縁６５及び下縁６６にスライド可能に嵌合し、中継ぎ部材４０の姿勢が修正される。即ち、中継ぎ部材４０の接続部４５が、切換本体部３０の接続部３７に同軸上で対向するように修正される。そして、中継ぎ部材４０を、さらに取付部６０方向に移動すると、挿通部４６が取付部６０に挿通された状態となる。この状態から、図１に示すように、挿通部４６の先端側より、固定部材の一例を示す固定ナット５を螺着する。これにより、固定ナット５と当接部４７とでブラケット本体５１が挟持され、中継ぎ部材４０の取り付けが完了される。
【００２６】
また、図３に示すように、上記の取付部６０への中継ぎ部材４０の移動に伴って、中継ぎ部材４０の接続部４５が切換本体部３０の接続部３７に挿嵌されて、各接続部４５，３７の各鍔部４４，３８が互いに当接する。そして、両鍔部４４，３８間に抜け止め用のクリップ６３等が外嵌されて、両接続部４５，３７の接続が完了される。尚、上記クリップ６３としては、例えば、板バネを曲げ形成したものを例示できる。また、本各発明においては、第１例と異なり、両接続部４５，３７の雌雄を逆転してもよいし、両接続部４５、３７の接続を他の接続手段によって行ってもよい。例えば、接続部４５若しくは接続部３７の一方に回動可能に装着された袋ナットを他方に螺合することによって、この接続を行ってもよい。但し、第１例の如く、袋ナット等の螺着部材を不要とし、両接続部４５、３７の一方を他方に対して挿嵌して接続を行う「ワンタッチ方式」の接続手段を採用すれば、水栓部品の取り付けや取り外しを効率的に行うことができる。
【００２７】
第１例では、図１に示すように、中継ぎ部材４０の裏面側に連絡配管２８等が引き回されており、しかも、切換本体部３０の接続部３７が中継ぎ部材４０方向を指向している。従って、水栓部品用ブラケット５０に対してその裏面側より中継ぎ部材４０を装着することは困難である。しかしながら、上記のように移動許容部６１を介することで、中継ぎ部材４０を取付部６０に容易に取り付けることができる。
【００２８】
ところで、第１例では、中継ぎ部材４０の取り付けの後、水栓部品用ブラケット５０の前方に前面パネル２が配置される。この際、温調本体部２０の固定部２１と、切換本体部３０の固定部３１と、中継ぎ部材４０の挿通部４６とは、各々、前面パネル２の通過孔９ａ，９ｂ，９ｃに挿通される。そして、温調本体部２０の固定部２１と、切換本体部３０の固定部３１と、中継ぎ部材４０の挿通部４６とには、その先端側より固定ナット６（固定部２１への固定ナット及び固定部３１への固定ナットは各々図示省略）が螺着されて、前面パネル２の取り付けが完了される。さらに、中継ぎ部材４０の挿通部４６の先端部には、前述の吐水管１３が接続され、この吐水管１３は吐水管カバー８で被覆される。また、温調本体部２０の固定部２１から突出する「混合弁装置のスピンドル」には、温度調節用のハンドル１１が装着され、切換本体部３０の固定部３１から突出する「切換弁装置のスピンドル」には、流路切換用のハンドル１２が装着される。
【００２９】
次に、水栓部品用ブラケット５０の第２例について、図４及び５を用いて説明する。この水栓部品用ブラケット５０は、請求項１及び３の各発明の一具体例を示すものである。尚、この第２例の水栓部品用ブラケット５０は、各種の水栓部品の位置決めを行うと共に水栓部品が設置される設置部の補強を行うためのものであり、前述の第１例と同様な構成については、第１例と同一の符号を付して説明する。
【００３０】
この水栓部品用ブラケット５０は、図４及び５に示すように、平板状のブラケット本体５１と、ブラケット本体５１の両側端より後方に突出する突出部７１、７２とを備えており、図５（ｂ）に示すように、前面パネル２の背面にパッキン７７等を介して衝合され、前面パネル２の前方より装着される固定ナット６等と、当接部４７等との挟持によって固定されるものである。但し、この水栓部品用ブラケット５０においても、第１例と同様な取付脚５２、５２を設け、奧壁面３に固定することとしてもよい。
【００３１】
ブラケット本体５１には、第１例と同様な貫通孔５３，５４が設けられており、突出部７１、７２には、配管の引き回し処理等を行うための切り欠き７８が設けられている。また、ブラケット本体５１には、上記両貫通孔５３，５４間に、屈曲状の経路を描くように形成されると共に、ブラケット本体５１の上端面で開放された切り欠き部７３が設けられている。この切り欠き部７３は、中継ぎ部材４０の挿通部４６を挿通可能ではあるが、中継ぎ部材４０全体を通過不能なサイズとされている。そして、この切り欠き部７３の奧端側の部分によって取付部６０が構成され、その他の部分によって、移動許容部６１が構成されている。
【００３２】
尚、この水栓部品用ブラケット５０は、設置部の補強を兼ねるものであるため、ブラケット本体５１には、補強用のリブ７５が設けられている。また、請求項１の発明において、移動許容部６１の開放位置は、第２例に示す、ブラケット本体５１の上端面に限定されない。例えば、ブラケット本体５１の下端面、右端面、若しくは、左端面等であってもよい。また、移動許容部６１の形状は第２例に限らず、例えば、ブラケット本体５１の何れかの端面から、直線状、傾斜状或いは円弧状の経路を描いた後に取付部に到達する形状等であってもよい。
【００３３】
次に、この水栓部品用ブラケット５０に対する中継ぎ部材４０の取付方法の１例を、図５を用いて説明する。先ず、移動許容部６１の開放部７６の上方に中継ぎ部材４０を配置する。このとき、当接部４７がブラケット本体５１の背後に位置するようにする。そして、図５（ａ）に示すように、中継ぎ部材４０を、上方から下方へと移動許容部６１に沿って移動させ、次いで、横方向へと移動させて取付部６０に到達させる。この横方向への移動により、中継ぎ部材４０の接続部４５と、切換本体部３０の接続部３７との接続が行われる。そして、図５（ｂ）に示すように、水栓部品用ブラケット５０の前面にパッキン７７等を介在させた状態で、前面パネル２を配置し、前面パネル２の前方から挿通部４６に固定ナット６を螺着する。これにより、固定ナット６と当接部４７とによってブラケット本体５１及び前面パネル２が挟持されて、中継ぎ部材４０の取り付けが完了する。尚、この第２例において、移動許容部６１や取付部６０を、裏面側から中継ぎ部材４０の挿通部４６を挿入可能な形状としてもよい。このようにすると、中継ぎ部材４０を、端面からばかりでなく、裏面側からも着脱することができ、中継ぎ部材４０を多様な手法で着脱することができる。
【００３４】
以上の第１例及び第２例では、１つの取付部６０に対して１つの移動許容部６１を連設した態様を例示したが、本各発明においては、１つの取付部６０に対して複数の移動許容部６１を連設してもよい。この態様では、設置部の状況に応じて、最も好適な移動許容部６１を選択可能なため、水栓部品の着脱を多様な手法にて行うことができる。また、本各発明では、水栓部品用ブラケットに設けられる取付部の数を複数としてもよい。さらに、本各発明が適用される水栓部品としては、前述の中継ぎ部材４０に限定されない。例えば、第１例等に示す温調本体部２０や切換本体部３０を本各発明における「水栓部品」としてもよい。この場合には、温調本体部２０や切換本体部３０の固定部２１，３１を本各発明における「挿通部」とし、当接部２２，３２を本各発明における「当接部」とすればよい。
【００３５】
【発明の効果】
以上のように、本各発明によると、裏面側の他の水栓部品等の配置状態に拘わらず、水栓部品を着脱可能な水栓部品用ブラケットが得られる。
【図面の簡単な説明】
【図１】  水栓部品用ブラケットの第１例を示す平面断面図である。
【図２】  図１の水栓部品用ブラケットの斜視図である。
【図３】  水栓部品と、他の水栓部品との接続方法を示す正面図である。
【図４】  水栓部品用ブラケットの第２例を示す正面図である。
【図５】  （ａ）は図４の１−１縦断面図であり、（ｂ）は図４の２−２縦断面図である。
【図６】  従来例を説明するための斜視図である。
【符号の説明】
１；カウンター、２；前面パネル、３；奧壁面、４〜７；固定ナット、８；吐水管カバー、９ａ、９ｂ、９ｃ；通過孔、１０；埋込水栓、１１、１２；ハンドル、１３；吐水管、２０；温調本体部、２１；固定部、２２；当接部、２３；給水接続部、２４；給湯接続部、２５；排出接続部、２６；給水管、２７；給湯管、２８；連絡配管、３０；切換本体部、３１；固定部、３２；当接部、３３；吐水管接続部、３４；シャワー接続部、３５；導入接続部、３６；シャワー配管、３７；接続部、３８；鍔部、４０；中継ぎ部材、４１；第１の管、４３；第２の管、４４；鍔部、４５；接続部、４６；挿通部、４７；当接部、４８；２面部、４９；雄ネジ部、５０；水栓部品用ブラケット、５１；ブラケット本体、５２；取付脚、５３、５４；貫通孔、５５；円形孔部、５６；長円形孔部、５８；入口側の部分、５９；取付代、６１；移動許容部、６２；切り欠き、６３；クリップ、６５；上縁、６６；下縁、７１、７２；突出部、７３；切り欠き部、７５；リブ、７６；開放部、７７；パッキン、７８；切り欠き、８０；水栓部品、８１；他の水栓部品。
【図１】
0004636676.tif 000002
【図２】
0004636676.tif 000003
【図３】
0004636676.tif 000004
【図４】
0004636676.tif 000005
【図５】
0004636676.tif 000006
【図６】
0004636676.tif 000007